【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
第２の装置と通信する１つ以上の装置を具備するシステムにおいて、
第１のワイヤレスプロトコルを介して前記第２の装置と通信するように構成されている第１のワイヤレス通信ユニットと、
第２のワイヤレスプロトコルを介して前記第２の装置との通信リンクを確立して、前記第２のワイヤレスプロトコルを介した前記通信リンクを通して前記第２の装置と通信するように構成されている第２のワイヤレス通信ユニットとを具備し、
前記第１のワイヤレス通信ユニットは、前記第２のワイヤレスプロトコルの前記通信リンクが確立された後、前記第１のワイヤレスプロトコルを介して第１のメッセージを前記第２の装置に送信するように構成され、
前記第１のメッセージは、前記通信リンクのセキュリティパラメータを修正するための、前記第２の装置に対するデータを含み、
前記第２のワイヤレス通信ユニットは、前記第１のメッセージ中に含まれる前記データにしたがって、前記第２の装置が前記通信リンクの前記セキュリティパラメータを修正しない場合、前記通信リンクを切断するように構成され、
前記第２のワイヤレス通信ユニットは、前記第１のメッセージの送信の後の予め定められた時間量内に、前記第１のワイヤレス通信ユニットが前記第２の装置から第２のメッセージを受信しない場合、前記通信リンクを切断するようにさらに構成されているシステム。
【請求項２】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項１記載のシステム。
【請求項３】
前記第２のメッセージは、前記第１のメッセージが前記第２の装置によって受信されたという肯定応答を含む請求項１記載のシステム。
【請求項４】
前記第１のワイヤレスプロトコルは、前記通信リンクを確立する目的のために、前記第２の装置を認証するように使用される請求項１記載のシステム。
【請求項５】
前記第１のワイヤレス通信ユニットは、第１のコードを前記第２の装置に送信し、
前記第１のコードは、暗号化キーであり、
前記第２のワイヤレス通信ユニットが前記第２のワイヤレスプロトコルを介して前記第１のコードを受信する場合、前記通信リンクが確立される請求項４記載のシステム。
【請求項６】
前記第２のワイヤレスプロトコルの前記通信リンクが確立された後、前記第１のワイヤレス通信ユニットは、第２のコードを前記第２の装置に送信し、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される請求項５記載のシステム。
【請求項７】
前記第２のワイヤレスプロトコルの前記通信リンクが確立された後、前記第１のワイヤレス通信ユニットは、周期的に新たなコードを発生させるようにさらに構成され、
前記それぞれの新たなコードが発生されたとき、前記第１のワイヤレス通信ユニットは、前記それぞれの新たなコードを送信し、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される請求項５記載のシステム。
【請求項８】
前記第２のワイヤレスプロトコルの前記通信リンクが確立された後、前記第１のワイヤレス通信ユニットは、前記第１のワイヤレスプロトコルを介してメッセージを前記第２の装置に周期的に送信するようにさらに構成され、
前記第２のワイヤレス通信ユニットは、前記第２の装置に送信された前記メッセージのうちの任意の１つに応答した確認メッセージを、前記第１のワイヤレス通信ユニットが前記第２の装置から受信しない場合、前記通信リンクを切断するようにさらに構成されている請求項１記載のシステム。
【請求項９】
前記第２のワイヤレスプロトコルの前記通信リンクが確立された後、前記第２の装置は、メッセージを前記第２のワイヤレス通信ユニットに周期的に送信するように構成され、
前記第２のワイヤレス通信ユニットは、前記第２のワイヤレス通信ユニットが前記メッセージのうちの任意の１つを受信しない場合、前記通信リンクを切断するようにさらに構成されている請求項１記載のシステム。
【請求項１０】
前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない請求項１記載のシステム。
【請求項１１】
前記１つ以上の装置の中の第１の装置は、前記第１のワイヤレス通信ユニットと前記第２のワイヤレス通信ユニットとを備える請求項１記載のシステム。
【請求項１２】
前記１つ以上の装置の中の第１の装置は、前記第１のワイヤレス通信ユニットを備え、
前記１つ以上の装置の中の第３の装置は、前記第２のワイヤレス通信ユニットを備える請求項１記載のシステム。
【請求項１３】
前記第１のワイヤレス通信ユニットは、前記第２のワイヤレスプロトコルの前記通信リンクが確立された後、前記第１のワイヤレスプロトコルを介して新たなメッセージを前記第２の装置に周期的に送信するようにさらに構成され、
各新たなメッセージは、各新たなメッセージの受信の際に前記通信リンクの前記セキュリティパラメータを修正するための、前記第２の装置に対する新たなデータを含み、
前記第２のワイヤレス通信ユニットは、前記新たなメッセージ中に含まれる前記新たなデータのうちのいずれかにしたがって、前記第２の装置が前記通信リンクの前記セキュリティパラメータを修正しない場合、前記通信リンクを切断するようにさらに構成されている請求項１記載のシステム。
【請求項１４】
第２の装置と通信する方法において、
第１のワイヤレス通信ユニットによって、第１のワイヤレスプロトコルを介して前記第２の装置と通信することと、
第２のワイヤレスプロトコルを介して前記第２の装置との通信リンクを確立することと、
第２のワイヤレス通信ユニットによって、前記第２のワイヤレスプロトコルを介した通信リンクを通して前記第２の装置と通信することと、
前記第２のワイヤレスプロトコルの前記通信リンクが確立された後、前記第１のワイヤレス通信ユニットから前記第２の装置に第１のメッセージを送信することと、
前記第１のメッセージ中に含まれるデータにしたがって、前記第２の装置が前記通信リンクのセキュリティパラメータを修正しない場合、第２のワイヤレス通信ユニットによって、前記通信リンクを切断することと、
前記第１のメッセージの送信の後の予め定められた時間量内に、前記第１のワイヤレス通信ユニットが前記第２の装置から第２のメッセージを受信しない場合、前記第２のワイヤレス通信ユニットによって、前記通信リンクを切断することとを含み、
前記第１のメッセージは、前記通信リンクの前記セキュリティパラメータを修正するための、前記第２の装置に対する前記データを含む方法。
【請求項１５】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項１４記載の方法。
【請求項１６】
前記第２のメッセージは、前記第１のメッセージが前記第２の装置によって受信されたという肯定応答を含む請求項１４記載の方法。
【請求項１７】
前記第１のワイヤレスプロトコルは、前記通信リンクを確立する目的のために、前記第２の装置を認証するように使用される請求項１４記載の方法。
【請求項１８】
前記通信リンクを確立することは、前記第１のワイヤレス通信ユニットによって、第１のコードを前記第２の装置に送信することを含み、
前記第１のコードは、暗号化キーであり、
前記第２のワイヤレス通信ユニットが前記第２のワイヤレスプロトコルを介して前記第１のコードを受信する場合、前記通信リンクが確立される請求項１７記載の方法。
【請求項１９】
前記第２のワイヤレスプロトコルの前記通信リンクが確立された後、前記第１のワイヤレス通信ユニットによって、第２のコードを前記第２の装置に送信することをさらに含み、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される請求項１８記載の方法。
【請求項２０】
前記第２のワイヤレスプロトコルの前記通信リンクが確立された後、周期的に新たなコードを発生させることと、
前記それぞれの新たなコードが発生されたとき、それぞれの新たなコードを送信することとをさらに含み、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される請求項１８記載の方法。
【請求項２１】
前記第２のワイヤレスプロトコルの前記通信リンクが確立された後、前記第１のワイヤレス通信ユニットによって、前記第１のワイヤレスプロトコルを介してメッセージを前記第２の装置に周期的に送信することと、
前記第２の装置に送信された前記メッセージのうちの任意の１つに応答した確認メッセージを、前記第１のワイヤレス通信ユニットが前記第２の装置から受信しない場合、前記第２のワイヤレス通信ユニットによって、前記通信リンクを切断することとをさらに含む請求項１４記載の方法。
【請求項２２】
前記第２の装置は、前記第２のワイヤレスプロトコルの前記通信リンクが確立された後、メッセージを前記第２のワイヤレス通信ユニットに周期的に送信するように構成され、前記第２のワイヤレス通信ユニットが前記メッセージのうちの任意の１つを受信しない場合、前記第２のワイヤレス通信ユニットによって、前記通信リンクを切断することをさらに含む請求項１４記載の方法。
【請求項２３】
前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない請求項１４記載の方法。
【請求項２４】
第１の装置は、前記第１のワイヤレス通信ユニットと前記第２のワイヤレス通信ユニットとを備える請求項１４記載の方法。
【請求項２５】
第１の装置は、前記第１のワイヤレス通信ユニットを備え、
第３の装置は、前記第２のワイヤレス通信ユニットを備える請求項１４記載の方法。
【請求項２６】
第２の装置と通信する装置において、
第１のワイヤレスプロトコルを介して前記第２の装置と通信する第１の手段と、
第２のワイヤレスプロトコルを介して前記第２の装置との通信リンクを確立する手段と、
前記第２のワイヤレスプロトコルを介して前記通信リンクを通して前記第２の装置と通信する第２の手段と、
前記第１のメッセージ中に含まれるデータにしたがって、前記第２の装置が前記通信リンクのセキュリティパラメータを修正しない場合、前記通信リンクを切断する手段と、
前記第１のメッセージの送信の後の予め定められた時間量内に、前記通信する第１の手段が前記第２の装置から第２のメッセージを受信しない場合、前記通信リンクを切断する手段とを具備し、
前記通信する第１の手段は、前記第２のワイヤレスプロトコルの前記通信リンクが確立された後、前記通信する第１の手段から前記第２の装置に第１のメッセージを送信する手段を備え、
前記第１のメッセージは、前記通信リンクの前記セキュリティパラメータを修正するための、前記第２の装置に対する前記データを含む装置。
【請求項２７】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項２６記載の装置。
【請求項２８】
前記第２のメッセージは、前記第１のメッセージが前記第２の装置によって受信されたという肯定応答を含む請求項２６記載の装置。
【請求項２９】
前記第１のワイヤレスプロトコルは、前記通信リンクを確立する目的のために、前記第２の装置を認証するように使用される請求項２６記載の装置。
【請求項３０】
前記通信リンクを確立する手段は、第１のコードを前記第２の装置に送信する手段を備え、
前記第１のコードは、暗号化キーであり、
前記通信する第２の手段が前記第２のワイヤレスプロトコルを介して前記第１のコードを受信する場合、前記通信リンクが確立される請求項２９記載の装置。
【請求項３１】
前記第２のワイヤレスプロトコルの前記通信リンクが確立された後、第２のコードを前記第２の装置に送信する手段をさらに具備し、
前記第２のコードは、前記通信リンクを維持することまたは修正することのうちの１つをするように構成されている第２の暗号化キーであり、
前記通信する第２の手段が前記第２のワイヤレスプロトコルを介して前記第２のコードを受信しない場合、前記通信リンクが切断される請求項３０記載の装置。
【請求項３２】
前記第２のワイヤレスプロトコルの前記通信リンクが確立された後、周期的に新たなコードを発生させる手段と、
前記それぞれの新たなコードが発生されたとき、前記それぞれの新たなコードを送信する手段とをさらに具備し、
前記新たなコードは、前記通信リンクを維持することまたは修正することのうちの１つをするように構成されている新たな暗号化キーであり、
前記通信する第２の手段が前記それぞれの新たなコードを受信しない場合、前記通信リンクが切断される請求項３０記載の装置。
【請求項３３】
前記第２のワイヤレスプロトコルの前記通信リンクが確立された後、前記第１のワイヤレスプロトコルを介してメッセージを前記第２の装置に周期的に送信する手段と、
前記第２の装置に送信された前記メッセージのうちの任意の１つに応答した確認メッセージを、前記通信する第１の手段が前記第２の装置から受信しない場合、前記通信リンクを切断する手段とをさらに具備する請求項２６記載の装置。
【請求項３４】
前記第２のワイヤレスプロトコルの前記通信リンクが確立された後、前記第２の装置は、メッセージを前記通信する第２の手段に周期的に送信するように構成され、前記通信する第２の手段が前記メッセージのうちの任意の１つを受信しない場合、前記通信リンクを切断する手段をさらに具備する請求項２６記載の装置。
【請求項３５】
前記第２の装置が第１の位置に位置付けられているとき、前記通信する第１の手段は、前記第１のメッセージを前記第２の装置に送信し、
前記第２の装置が前記第１の位置に位置付けられている場合、前記通信する第２の手段は、前記第２のメッセージを受信し、
前記第２の装置が前記第１の位置とは異なる第２の位置に位置付けられている場合、前記通信する第２の手段は、前記第２のメッセージを受信しない請求項２６記載の装置。
【請求項３６】
前記通信する第１の手段は、第１のワイヤレス通信ユニットを備え、
前記通信する第２の手段と前記切断する手段は、第２のワイヤレス通信ユニットを備える請求項２６記載の装置。
【請求項３７】
コードを含む非一時的なコンピュータ読取可能媒体において、
実行されるときに、前記コードは、第１の装置に、
第１のワイヤレス通信ユニットを使用させて、第１のワイヤレスプロトコルを介して第２の装置と通信させ、
第２のワイヤレスプロトコルを介して前記第２の装置との通信リンクを確立させ、
第２のワイヤレス通信ユニットを使用させて、前記第２のワイヤレスプロトコルを介した前記通信リンクを通して前記第２の装置と通信させ、
前記第２のワイヤレスプロトコルの前記通信リンクが確立された後、前記第１のワイヤレス通信ユニットから前記第２の装置に第１のメッセージを送信させ、
前記第１のメッセージ中に含まれるデータにしたがって、前記第２の装置が、前記通信リンクのセキュリティパラメータを修正しない場合、前記第２のワイヤレス通信ユニットを使用させて、前記通信リンクを切断させ、
前記第１のメッセージの送信の後の予め定められた時間量内に、前記第１のワイヤレス通信ユニットが前記第２の装置から第２のメッセージを受信しない場合、前記第２のワイヤレス通信ユニットを使用させて、前記通信リンクを切断させ、
前記第１のメッセージは、前記通信リンクの前記セキュリティパラメータを修正するための、前記第２の装置に対する前記データを含む非一時的コンピュータ読取可能媒体。
【請求項３８】
前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む請求項３７記載の非一時的コンピュータ読取可能媒体。
【請求項３９】
前記第２のメッセージは、前記第１のメッセージが前記第２の装置によって受信されたという肯定応答を含む請求項３７記載の非一時的コンピュータ読取可能媒体。
【請求項４０】
前記第１のワイヤレスプロトコルは、前記通信リンクを確立する目的のために、前記第２の装置を認証するように使用される請求項３７記載の非一時的コンピュータ読取可能媒体。
【請求項４１】
実行されるときに、前記第１の装置に、前記第１のワイヤレス通信ユニットを使用させて、第１のコードを前記第２の装置に送信させるコードをさらに含み、
前記第１のコードは、暗号化キーであり、
前記第２のワイヤレス通信ユニットが前記第２のワイヤレスプロトコルを介して前記第１のコードを受信する場合、前記通信リンクが確立される請求項４０記載の非一時的コンピュータ読取可能媒体。
【請求項４２】
実行されるときに、前記第１の装置に、前記第２のワイヤレスプロトコルの前記通信リンクが確立された後、前記第１のワイヤレス通信ユニットを使用させて、第２のコードを前記第２の装置に送信させるコードをさらに含み、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される請求項４１記載の非一時的コンピュータ読取可能媒体。
【請求項４３】
実行されるときに、前記第１の装置に、
前記第２のワイヤレスプロトコルの前記通信リンクが確立された後、周期的に新たなコードを発生させ、
前記それぞれの新たなコードが発生されたとき、前記それぞれの新たなコードを送信させるコードをさらに含み、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される請求項４１記載の非一時的コンピュータ読取可能媒体。
【請求項４４】
実行されるときに、前記第１の装置に、
前記第２のワイヤレスプロトコルの前記通信リンクが確立された後、前記第１のワイヤレス通信ユニットを使用させて、前記第１のワイヤレスプロトコルを介してメッセージを前記第２の装置に周期的に送信させ、
前記第２の装置に送信された前記メッセージのうちの任意の１つに応答した確認メッセージを、前記第１のワイヤレス通信ユニットが前記第２の装置から受信しない場合、前記第２のワイヤレス通信ユニットを使用させて、前記通信リンクを切断させるコードをさらに含む請求項３７記載の非一時的コンピュータ読取可能媒体。
【請求項４５】
前記第２の装置は、前記第２のワイヤレスプロトコルの前記通信リンクが確立された後、メッセージを前記第２のワイヤレス通信ユニットに周期的に送信するように構成され、前記第２のワイヤレス通信ユニットが前記メッセージのうちの任意の１つを受信しない場合、実行されるときに、前記第１の装置に、前記第２のワイヤレス通信ユニットを使用させて、前記通信リンクを切断させるコードをさらに含む請求項３７記載の非一時的コンピュータ読取可能媒体。
【請求項４６】
前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない請求項３７記載の非一時的コンピュータ読取可能媒体。
【手続補正２】
【補正対象書類名】明細書
【補正対象項目名】００８５
【補正方法】変更
【補正の内容】
【００８５】
［００９３］
上記は、本開示の態様に向けられているが、本開示の他の態様およびさらなる態様が、その基本的な範囲から逸脱することなく考案することができ、その範囲は、下記の特許請求の範囲によって決定される。
以下に、本願出願の当初の特許請求の範囲に記載された発明を付記する。
［１］  第２の装置と通信する１つ以上の装置を具備するシステムにおいて、
第１のワイヤレスプロトコルを介して前記第２の装置と通信するように構成され、第１のメッセージを前記第２の装置に送信する第１のワイヤレス通信ユニットと、
第２のワイヤレスプロトコルを介した通信リンクを通して前記第２の装置と通信するように構成されている第２のワイヤレス通信ユニットとを具備し、
前記第２のワイヤレス通信ユニットは、前記第１のメッセージの送信の後の予め定められた時間量内に、前記第１のワイヤレス通信ユニットが前記第２の装置から第２のメッセージを受信しない場合、前記通信リンクを切断するようにさらに構成されているシステム。
［２］  前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む［１］記載のシステム。
［３］  前記第２のメッセージは、前記第１のメッセージが前記第２の装置によって受信されたという肯定応答を含む［１］記載のシステム。
［４］  前記第１のワイヤレスプロトコルは、前記通信リンクを確立する目的のために、前記第２の装置を認証するように使用される［１］記載のシステム。
［５］  前記第１のワイヤレス通信ユニットは、第１のコードを前記第２の装置に送信し、
前記第１のコードは、前記通信リンクを維持することまたは修正することのうちの１つをするように構成されている暗号化キーであり、
前記第２のワイヤレス通信ユニットが前記第２のワイヤレスプロトコルを介して前記第１のコードを受信する場合、前記通信リンクが確立される［４］記載のシステム。
［６］  前記第１のワイヤレス通信ユニットは、第２のコードを前記第２の装置に送信し、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される［５］記載のシステム。
［７］  前記第１のワイヤレス通信ユニットは、周期的に新たなコードを発生させるようにさらに構成され、
前記それぞれの新たなコードが発生されたとき、前記第１のワイヤレス通信ユニットは、前記それぞれの新たなコードを送信し、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される［５］記載のシステム。
［８］  前記第１のワイヤレス通信ユニットは、前記第１のワイヤレスプロトコルを介してメッセージを前記第２の装置に周期的に送信するようにさらに構成され、
前記第２のワイヤレス通信ユニットは、前記第２の装置に送信された前記メッセージのうちの任意の１つに応答した確認メッセージを、前記第１のワイヤレス通信ユニットが前記第２の装置から受信しない場合、前記通信リンクを切断するようにさらに構成されている［１］記載のシステム。
［９］  前記第２の装置は、メッセージを前記第２のワイヤレス通信ユニットに周期的に送信するように構成され、
前記第２のワイヤレス通信ユニットは、前記第２のワイヤレス通信ユニットが前記メッセージのうちの任意の１つを受信しない場合、前記通信リンクを切断するようにさらに構成されている［１］記載のシステム。
［１０］  前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない［１］記載のシステム。
［１１］  前記１つ以上の装置の中の第１の装置は、前記第１のワイヤレス通信ユニットと前記第２のワイヤレス通信ユニットとを備える［１］記載のシステム。
［１２］  前記１つ以上の装置の中の第１の装置は、前記第１のワイヤレス通信ユニットを備え、
前記１つ以上の装置の中の第３の装置は、前記第２のワイヤレス通信ユニットを備える［１］記載のシステム。
［１３］  第２の装置と通信する方法において、
第１のワイヤレス通信ユニットによって、第１のワイヤレスプロトコルを介して前記第２の装置と通信し、前記第１のワイヤレス通信ユニットは、第１のメッセージを前記第２の装置に送信することと、
第２のワイヤレス通信ユニットによって、第２のワイヤレスプロトコルを介した通信リンクを通して前記第２の装置と通信することと、
前記第１のメッセージの送信の後の予め定められた時間量内に、前記第１のワイヤレス通信ユニットが前記第２の装置から第２のメッセージを受信しない場合、前記第２のワイヤレス通信ユニットによって前記通信リンクを切断することとを含む方法。
［１４］  前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む［１３］記載の方法。
［１５］  前記第２のメッセージは、前記第１のメッセージが前記第２の装置によって受信されたという肯定応答を含む［１３］記載の方法。
［１６］  前記第１のワイヤレスプロトコルは、前記通信リンクを確立する目的のために、前記第２の装置を認証するように使用される［１３］記載の方法。
［１７］  前記第１のワイヤレス通信ユニットによって、第１のコードを前記第２の装置に送信することをさらに含み、
前記第１のコードは、前記通信リンクを維持することまたは修正することのうちの１つをするように構成されている暗号化キーであり、
前記第２のワイヤレス通信ユニットが前記第２のワイヤレスプロトコルを介して前記第１のコードを受信する場合、前記通信リンクが確立される［１６］記載の方法。
［１８］  前記第１のワイヤレス通信ユニットによって、第２のコードを前記第２の装置に送信することをさらに含み、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される［１７］記載の方法。
［１９］  周期的に新たなコードを発生させることと、
前記それぞれの新たなコードが発生されたとき、前記それぞれの新たなコードを送信することとをさらに含み、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される［１７］記載の方法。
［２０］  前記第１のワイヤレス通信ユニットによって、前記第１のワイヤレスプロトコルを介してメッセージを前記第２の装置に周期的に送信することと、
前記第２の装置に送信された前記メッセージのうちの任意の１つに応答した確認メッセージを、前記第１のワイヤレス通信ユニットが前記第２の装置から受信しない場合、前記第２のワイヤレス通信ユニットによって、前記通信リンクを切断することとをさらに含む［１３］記載の方法。
［２１］  前記第２の装置は、メッセージを前記第２のワイヤレス通信ユニットに周期的に送信するように構成され、前記第２のワイヤレス通信ユニットが前記メッセージのうちの任意の１つを受信しない場合、前記第２のワイヤレス通信ユニットによって、前記通信リンクを切断することをさらに含む［１３］記載の方法。
［２２］  前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない［１３］記載の方法。
［２３］  第１の装置は、前記第１のワイヤレス通信ユニットと前記第２のワイヤレス通信ユニットとを備える［１３］記載の方法。
［２４］  第１の装置は、前記第１のワイヤレス通信ユニットを備え、
第３の装置は、前記第２のワイヤレス通信ユニットを備える［１３］記載の方法。
［２５］  第２の装置と通信する装置において、
第１のワイヤレスプロトコルを介して前記第２の装置と通信し、第１のメッセージを前記第２の装置に送信する第１の手段と、
第２のワイヤレスプロトコルを介した通信リンクを通して前記第２の装置と通信する第２の手段と、
前記第１のメッセージの送信の後の予め定められた時間量内に、前記通信する第１の手段が前記第２の装置から第２のメッセージを受信しない場合に、前記通信リンクを切断する手段とを具備する装置。
［２６］  前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む［２５］記載の装置。
［２７］  前記第２のメッセージは、前記第１のメッセージが前記第２の装置によって受信されたという肯定応答を含む［２５］記載の装置。
［２８］  前記第１のワイヤレスプロトコルは、前記通信リンクを確立する目的のために、前記第２の装置を認証するように使用される［２５］記載の装置。
［２９］  第１のコードを前記第２の装置に送信する手段をさらに具備し、
前記第１のコードは、前記通信リンクを維持することまたは修正することのうちの１つをするように構成されている暗号化キーであり、
前記通信する第２の手段が前記第２のワイヤレスプロトコルを介して前記第１のコードを受信する場合に、前記通信リンクが確立される［２８］記載の装置。
［３０］  第２のコードを前記第２の装置に送信する手段をさらに具備し、
前記第２のコードは、前記通信リンクを維持することまたは修正することのうちの１つをするように構成されている第２の暗号化キーであり、
前記通信する第２の手段が前記第２のワイヤレスプロトコルを介して前記第２のコードを受信しない場合に、前記通信リンクが切断される［２９］記載の装置。
［３１］  周期的に新たなコードを発生させる手段と、
前記それぞれの新たなコードが発生されたとき、前記それぞれの新たなコードを送信する手段とをさらに具備し、
前記新たなコードは、前記通信リンクを維持することまたは修正することのうちの１つをするように構成されている新たな暗号化キーであり、
前記通信する第２の手段が前記それぞれの新たなコードを受信しない場合に、前記通信リンクが切断される［２９］記載の装置。
［３２］  前記第１のワイヤレスプロトコルを介してメッセージを前記第２の装置に周期的に送信する手段と、
前記第２の装置に送信された前記メッセージのうちの任意の１つに応答した確認メッセージを、前記通信する第１の手段が前記第２の装置から受信しない場合に、前記通信リンクを切断する手段とをさらに具備する［２５］記載の装置。
［３３］  前記第２の装置は、メッセージを前記通信する第２の手段に周期的に送信するように構成され、前記通信する第２の手段が前記メッセージのうちの任意の１つを受信しない場合に、前記通信リンクを切断する手段をさらに具備する［２５］記載の装置。
［３４］  前記第２の装置が第１の位置に位置付けられているとき、前記通信する第１の手段は、前記第１のメッセージを前記第２の装置に送信し、
前記第２の装置が前記第１の位置に位置付けられている場合に、前記通信する第２の手段は、前記第２のメッセージを受信し、
前記第２の装置が前記第１の位置とは異なる第２の位置に位置付けられている場合に、前記通信する第２の手段は、前記第２のメッセージを受信しない［２５］記載の装置。
［３５］  前記通信する第１の手段は、第１のワイヤレス通信ユニットを備え、
前記通信する第２の手段と前記切断する手段は、第２のワイヤレス通信ユニットを備える［２５］記載の装置。
［３６］  コードを含む非一時的なコンピュータ読取可能媒体において、
実行されるときに、前記コードは、装置に、
第１のワイヤレス通信ユニットを使用させて、第１のワイヤレスプロトコルを介して第２の装置と通信させ、第１のメッセージを前記第２の装置に送信させ、
第２のワイヤレス通信ユニットを使用させて、第２のワイヤレスプロトコルを介した通信リンクを通して前記第２の装置と通信させ、
前記第１のメッセージの送信の後の予め定められた時間量内に、前記第１のワイヤレス通信ユニットが前記第２の装置から第２のメッセージを受信しない場合、前記第２のワイヤレス通信ユニットを使用させて、前記通信リンクを切断させる媒体。
［３７］  前記第１のワイヤレスプロトコルは、近接場通信（ＮＦＣ）標準規格または無線周波数識別（ＲＦＩＤ）のうちの１つを含み、
前記第２のワイヤレスプロトコルは、ＩＥＥＥ８０２．１１プロトコルまたはワイヤレス広域ネットワーク（ＷＷＡＮ）プロトコルのうちの１つを含む［３６］記載の媒体。
［３８］  前記第２のメッセージは、前記第１のメッセージが前記第２の装置によって受信されたという肯定応答を含む［３６］記載の媒体。
［３９］  前記第１のワイヤレスプロトコルは、前記通信リンクを確立する目的のために、前記第２の装置を認証するように使用される［３６］記載の媒体。
［４０］  実行されるときに、装置に、前記第１のワイヤレス通信ユニットを使用させて、第１のコードを前記第２の装置に送信させるコードをさらに含み、
前記第１のコードは、前記通信リンクを維持することまたは修正することのうちの１つをするように構成されている暗号化キーであり、
前記第２のワイヤレス通信ユニットが前記第２のワイヤレスプロトコルを介して前記第１のコードを受信する場合、前記通信リンクが確立される［３９］記載の媒体。
［４１］  実行されるときに、装置に、前記第１のワイヤレス通信ユニットを使用させて、第２のコードを前記第２の装置に送信させるコードをさらに含み、
前記第２のコードは、前記通信リンクを維持することまたは修正することのうちの１つをするように構成されている第２の暗号化キーであり、
前記第２のワイヤレス通信ユニットが前記第２のワイヤレスプロトコルを介して前記第２のコードを受信しない場合、前記通信リンクが切断される［４０］記載の媒体。
［４２］  実行されるときに、装置に、
周期的に新たなコードを発生させ、
前記それぞれの新たなコードが発生されたとき、前記それぞれの新たなコードを送信させるコードをさらに含み、
前記新たなコードは、前記通信リンクを維持することまたは修正することのうちの１つをするように構成されている新たな暗号化キーであり、
前記第２のワイヤレス通信ユニットが前記それぞれの新たなコードを受信しない場合、前記通信リンクが切断される［４０］記載の媒体。
［４３］  実行されるときに、装置に、
前記第１のワイヤレス通信ユニットを使用させて、前記第１のワイヤレスプロトコルを介してメッセージを前記第２の装置に周期的に送信させ、
前記第２の装置に送信された前記メッセージのうちの任意の１つに応答した確認メッセージを、前記第１のワイヤレス通信ユニットが前記第２の装置から受信しない場合、前記第２のワイヤレス通信ユニットを使用させて、前記通信リンクを切断させるコードをさらに含む［３６］記載の媒体。
［４４］  前記第２の装置は、メッセージを前記第２のワイヤレス通信ユニットに周期的に送信するように構成され、前記第２のワイヤレス通信ユニットが前記メッセージのうちの任意の１つを受信しない場合、実行されるときに、装置に、前記第２のワイヤレス通信ユニットを使用させて、前記通信リンクを切断させるコードをさらに含む［３６］記載の媒体。
［４５］  前記第２の装置が第１の位置に位置付けられているとき、前記第１のワイヤレス通信ユニットは、前記第１のメッセージを前記第２の装置に送信し、
前記第２の装置が前記第１の位置に位置付けられている場合、前記第２のワイヤレス通信ユニットは、前記第２のメッセージを受信し、
前記第２の装置が前記第１の位置とは異なる第２の位置に位置付けられている場合、前記第２のワイヤレス通信ユニットは、前記第２のメッセージを受信しない［３６］記載の媒体。